(57)【要約】  本発明は、テレビメインボード装置、テレビ及びテレビシステムに関する。前記テレビメインボード装置は、少なくとも１つの開口部を有するケースと、前記ケースに収容され、電力変換部と、それぞれ各々の開口部を介してケースから露出する第１及び第２のインターフェースとを有するテレビメインボードと、を備え、前記第１のインターフェースは、第１の電源電力を受けるために電源に接続可能であり、前記第２のインターフェースは、テレビへマルチメディア信号及び前記第１の電源電力を伝送するためにテレビに接続可能であり、前記電力変換部は、第１の電源電力を、前記テレビメインボード装置に給電するための第２の電源電力に変換可能である。【選択図】図２
2019506034.tif 000002
【特許請求の範囲】
【請求項１】
テレビメインボード装置であって、
少なくとも１つの開口部を有するケースと、
前記ケースに収容され、電力変換部と、それぞれ各々の開口部を介してケースから露出する第１のインターフェース及び第２のインターフェースとを有するテレビメインボードと、を備え、
前記第１のインターフェースは、第１の電源電力を受けるために電源に接続可能であり、
前記第２のインターフェースは、テレビへマルチメディア信号及び前記第１の電源電力を伝送するためにテレビに接続可能であり、
前記電力変換部は、第１の電源電力を、前記テレビメインボード装置に給電するための第２の電源電力に変換可能であるテレビメインボード装置。
【請求項２】
前記電力変換部は、交流−直流電力変換部である、請求項１に記載のテレビメインボード装置。
【請求項３】
前記第２のインターフェースには、第１の電源電力を伝送するための端子及びマルチメディア信号を伝送するための端子が集積されている、請求項１に記載のテレビメインボード装置。
【請求項４】
前記第２のインターフェースは、高精細度マルチメディアインターフェース（ＨＤＭＩ）を有する、請求項１〜３のいずれか１項に記載のテレビメインボード装置。
【請求項５】
前記第２のインターフェースは、第１の電源電力を伝送するためのライブライン端子及びニュートラルライン端子を有する、請求項１〜３のいずれか１項に記載のテレビメインボード装置。
【請求項６】
テレビであって、
テレビメインボード装置からのマルチメディア信号を受信して再生するとともに、テレビメインボード装置からの第１の電源電力を受けて電源盤に供給するアダプタ装置と、
前記第１の電源電力を第３の電源電力に変換してテレビのバックライトシステムに給電する電源盤と、
を備えるテレビ。
【請求項７】
前記電源盤は、第１の電源電力を第４の電源電力に変換して前記アダプタ装置に給電する、請求項６に記載のテレビ。
【請求項８】
タイミングコントローラ（Ｔ−ＣＯＮ）をさらに備え、
前記アダプタ装置は、マルチメディア信号を前記タイミングコントローラに供給する、請求項６に記載のテレビ。
【請求項９】
前記アダプタ装置は、インターフェース部を備え、
前記インターフェース部には、第１の電源電力を伝送するための端子及びマルチメディア信号を伝送するための端子が集積されている、請求項６に記載のテレビ。
【請求項１０】
前記インターフェース部は、高精細度マルチメディアインターフェース（ＨＤＭＩ）を有する、請求項９に記載のテレビ。
【請求項１１】
前記インターフェース部は、第１の電源電力を伝送するためのライブライン端子及びニュートラルライン端子を有する、請求項９に記載のテレビ。
【請求項１２】
テレビメインボード装置と、テレビと、１つの電力線と、１つの接続装置とを備えるテレビシステムであって、
電力線は、電源からテレビメインボード装置に第１の電源電力を伝送するためにテレビメインボード装置を電源に接続可能であり、
接続装置は、テレビメインボード装置からテレビにマルチメディア信号及び前記第１の電源電力を伝送するためにテレビメインボード装置をテレビに接続可能であり、
前記テレビメインボード装置は、第１の電源電力を、前記テレビメインボード装置に給電するための第２の電源電力に変換可能な電力変換部を有する、テレビシステム。
【請求項１３】
前記接続装置は、
テレビメインボード装置からテレビに供給されるマルチメディア信号及び第１の電源電力を伝送可能な接続ケーブルと、
前記接続ケーブルの一端に位置し、テレビメインボード装置に接続可能な第１の接続部と、
前記接続ケーブルの他端に位置し、テレビに接続可能な第２の接続部とを備える、請求項１２に記載のテレビシステム。
【請求項１４】
前記テレビメインボード装置は、
少なくとも１つの開口部を有するケースと、
前記ケースに収容され、前記電力変換部と、それぞれ各々の開口部を介してケースから露出する第１及び第２のインターフェースとを有するテレビメインボードと、を備え、
前記第１のインターフェースは、電力線に接続可能であり、
前記第２のインターフェースは、接続装置に接続可能である、請求項１２に記載のテレビシステム。
【請求項１５】
前記電力変換部は、交流−直流電力変換部である、請求項１２に記載のテレビシステム。
【請求項１６】
前記第２のインターフェースには、第１の電源電力を伝送するための端子及びマルチメディア信号を伝送するための端子が集積されている、請求項１４に記載のテレビシステム。
【請求項１７】
前記第２のインターフェースは、高精細度マルチメディアインターフェース（ＨＤＭＩ）を有する、請求項１４に記載のテレビシステム。
【請求項１８】
前記第２のインターフェースは、第１の電源電力を伝送するためのライブライン端子及びニュートラルライン端子を有する、請求項１４に記載のテレビシステム。
【請求項１９】
前記テレビは、
テレビメインボード装置からのマルチメディア信号を受信して再生するとともに、テレビメインボード装置からの第１の電源電力を受けて電源盤に供給するアダプタ装置と、
前記第１の電源電力を第３の電源電力に変換してテレビのバックライトシステムに給電する電源盤と、
を備える、請求項１２に記載のテレビシステム。
【請求項２０】
前記電源盤は、第１の電源電力を第４の電源電力に変換して前記アダプタ装置に給電する、請求項１９に記載のテレビシステム。
【請求項２１】
前記テレビは、
タイミングコントローラ（Ｔ−ＣＯＮ）をさらに備え、
前記アダプタ装置は、マルチメディア信号を前記タイミングコントローラに供給する、請求項１９に記載のテレビシステム。
【請求項２２】
前記アダプタ装置は、インターフェース部を備え、
前記インターフェース部には、第１の電源電力を伝送するための端子及びマルチメディア信号を伝送するための端子が集積されている、請求項１９に記載のテレビシステム。
【請求項２３】
前記インターフェース部は、高精細度マルチメディアインターフェース（ＨＤＭＩ）を有する、請求項２２に記載のテレビシステム。
【請求項２４】
前記インターフェース部は、第１の電源電力を伝送するためのライブライン端子及びニュートラルライン端子を有する、請求項２２に記載のテレビシステム。
【発明の詳細な説明】
【技術分野】
【０００１】
(関連出願の相互参照)
本願は、２０１６年３月７日に出願された中国特許出願第２０１６１０１２９８１３．Ｘ号に基づく優先権を主張するものであり、その内容全体は参照により本明細書に組み込まれる。
【０００２】
本発明は、視聴覚機器の分野に関し、特にテレビメインボード装置、テレビ及びテレビシステムに関する。
【背景技術】
【０００３】
従来のテレビメインボードは一般的にテレビの後部ケースに内蔵されている。図１ａは、従来の技術におけるテレビメインボード及びこれとテレビ内の他の関連部との接続関係を示す模式図である。図１ａにおいて、テレビメインボードはテレビの後部ケースに内蔵され、２２０Ｖの電源電力は電力線を介してテレビの電源盤に入力され、電源盤は、電源電力の一部を１２Ｖの直流電力に変換してテレビメインボードに給電し、電源電力の他の一部をライトバーの駆動電圧に変換してバックライトバーに供給することでスクリーンを点灯させる。テレビメインボードは、処理後のマルチメディア信号を出力して、例えばスクリーン表示を制御するタイミングコントローラ（Ｔ−ＣＯＮ）などの後段部に伝送する。
【０００４】
図１ｂは、従来の技術におけるテレビメインボードを内蔵したテレビを示す背面図である。
【０００５】
これから分かるように、従来の技術では、テレビメインボードがテレビの後部ケースに内蔵され、メインボードの外部接続用ポートが多いため、テレビの後部ケースから数多くの周辺機器接続用ケーブルを引き出す必要があり（例えば図１ｂ参照）、外見に影響を与えるだけでなく、周辺機器の取付けや設置も不便である。また、このようなテレビメインボードは取り外しや交換が不便であるため、一旦破損すると、または交換が必要な場合は、テレビ全体を交換することしかできないおそれがある。
【０００６】
これに対して、従来の技術では、テレビメインボードを独立した装置として、テレビケース外に配置する解決策が提案されている。しかし、このようにすると、テレビ及びメインボードに対してそれぞれ給電配線を行う必要があり、またテレビとメインボードを接続する配線も必要になるため、配線が煩雑になり、使用及び取付けが相変わらず不便で、外見も綺麗とはいえない。
【発明の概要】
【０００７】
上記に鑑み、本発明は、テレビメインボード装置、テレビ及びテレビシステムを提案し、従来の技術における上記した問題に対して、使用及び取付けがより簡便になる解決策を提供する。
【０００８】
一側面として、テレビメインボード装置であって、少なくとも１つの開口部を有するケースと、前記ケースに収容され、電力変換部と、それぞれ各々の開口部を介してケースから露出する第１のインターフェース及び第２のインターフェースを有するテレビメインボードと、を備え、前記第１のインターフェースは、第１の電源電力を受けるために電源に接続可能であり、前記第２のインターフェースは、テレビへマルチメディア信号及び前記第１の電源電力を伝送するためにテレビに接続可能であり、前記電力変換部は、第１の電源電力を、前記テレビメインボード装置に給電するための第２の電源電力に変換可能であるテレビメインボード装置を提供する。
【０００９】
別の側面として、テレビであって、テレビメインボード装置からのマルチメディア信号を受信して再生するとともに、テレビメインボード装置からの第１の電源電力を受けて電源盤に供給するアダプタ装置と、前記第１の電源電力を第３の電源電力に変換してテレビのバックライトシステムに給電する電源盤とを備えるテレビを提供する。
【００１０】
別の側面として、テレビメインボード装置と、テレビと、１つの電力線と、１つの接続装置とを備えるテレビシステムであって、電力線は、電源からテレビメインボード装置に第１の電源電力を伝送するためにテレビメインボード装置を電源に接続可能であり、接続装置は、テレビメインボード装置からテレビにマルチメディア信号及び前記第１の電源電力を伝送するためにテレビメインボード装置をテレビに接続可能であり、前記テレビメインボード装置は、第１の電源電力を、前記テレビメインボード装置に給電するための第２の電源電力に変換可能な電力変換部を有する、テレビシステムを提供する。
【００１１】
本発明の各側面において、テレビメインボードを独立した装置として、テレビとは別体に配置することにより、テレビから外部接続用ケーブルを多く引き出す必要がなく、またテレビメインボードのメンテナンス及び交換が容易になる。また、本発明の各側面において、テレビ及びメインボードに対してそれぞれ給電配線を行う必要がなく、使用する際にテレビメインボード装置を電源に接続し、テレビをテレビメインボード装置に接続すれば、テレビメインボード装置及びテレビへの給電、およびテレビメインボード装置とテレビとの間の信号伝送を実現することができ、システムの複雑性が大幅に削減され、全体の外見が綺麗になるとともに、使用及び取付けが便利になる。
【００１２】
本発明の他の特徴や側面は、以下、図面を参照して例示的実施例を詳しく説明することにより明らかになるだろう。
【図面の簡単な説明】
【００１３】
明細書に含まれて明細書の一部をなす図面は、明細書とともに本発明の例示的実施例、特徴及び側面を示し、本発明の原理を解釈するものである。
【図１ａ】図１ａは、従来の技術におけるテレビメインボード及びこれとテレビ内の他の関連部との接続関係を示す模式図である。
【図１ｂ】図１ｂは、従来の技術におけるテレビメインボードを内蔵したテレビを示す背面図である。
【図２】図２は、本発明の一実施例によるテレビメインボード装置を示す構成模式図である。
【図３ａ】図３ａは、第２のインターフェースの例を示す構成模式図である。
【図３ｂ】図３ｂは、第２のインターフェースの例を示す構成模式図である。
【図３ｃ】図３ｃは、第２のインターフェースの例を示す構成模式図である。
【図３ｄ】図３ｄは、第２のインターフェースの例を示す構成模式図である。
【図４】図４は、本発明の一実施例によるテレビを示す構成模式図である。
【図５】図５は、本発明の一実施例によるテレビシステムを示す構成模式図である。
【図６】図６は、一つの例による接続装置を示す構成模式図である。
【図７】図７は、一つの例による接続ケーブルの横断面を示す構成模式図である。
【発明を実施するための形態】
【００１４】
以下、図面を参照しながら本発明の種々の例示的実施例、特徴及び側面を詳細に説明する。図面における同じ符号は、同一又は類似する機能を有する素子を示す。図面には実施例の種々の側面が示されているが、特記されていない限り、その比例どおりに図面を描く必要はない。
【００１５】
ここでの「例示的」という専用語は、「例、実施例として用いられるか、または説明のためのものである」ことを意味する。ここで「例示的」に説明した実施例はいずれも他の実施例よりも好ましいか、または良いと解釈する必要はない。
【００１６】
また、本発明をより良く説明するために、以下の具体的な実施形態において具体的な細部を多く記載した。本発明は、何らかの具体的な細部が無くとも同様に実施できることは、当業者が理解すべきことである。本発明の主旨を際立たせるために、一部の実施例では、当業者に良く知られている方法、手段、素子、および回路について詳細に記述しない。
【００１７】
実施例１
図２は、本発明の一実施例によるテレビメインボード装置２００を示す構成模式図である。図２に示すように、このテレビメインボード装置２００は主に、少なくとも１つの開口部２０１１、２０１２を有するケース２０１を備える。このテレビメインボード装置２００はテレビメインボード２０２をさらに備え、このテレビメインボード２０２は、ケース２０１に収容され、第１のインターフェース２０２１、第２のインターフェース２０２２及び電力変換部２０２３を有する。第１のインターフェース２０２１及び第２のインターフェース２０２２はそれぞれ、各々の開口部２０１１及び２０１２を介してケース２０１から露出する。第１のインターフェース２０２１は、第１の電源電力を受けるために電源に接続可能であり、第２のインターフェース２０２２は、テレビへマルチメディア信号及び前記第１の電源電力を伝送するためにテレビに接続可能である。電力変換部２０２３は、第１のインターフェース２０２１に接続され、第１の電源電力を第２の電源電力に変換して前記テレビメインボード装置に給電することができる。
【００１８】
この実施例では、テレビメインボードを独立した装置として、テレビとは別体に配置することにより、テレビから外部接続用ケーブルを多く引き出す必要がなく、またテレビメインボードのメンテナンス及び交換が容易になる。また、この実施例において、テレビ及びメインボードに対してそれぞれ給電配線を行う必要がなく、テレビメインボード装置は第２のインターフェースを介してテレビに第１の電源電力を供給することによりテレビに給電することができるとともに、電力変換部により第１の電源電力を第２の電源電力に変換してテレビメインボード装置に給電することができる。このようにして、使用する際に第１のインターフェースを電源に接続し、第２のインターフェースをテレビに接続すれば、テレビメインボード装置及びテレビへの給電、およびテレビメインボード装置とテレビとの間の信号伝送を実現することができ、システムの複雑性が大幅に削減され、全体の外見が綺麗になるとともに、使用及び取付けが便利になる。
【００１９】
一つの例において、ケース２０１は直方体、立方体などの任意の必要な形状としてもよく、本発明では特に限定しない。開口部は主に、ケース内部のインターフェース（例えば電源インターフェース、オーディオ・ビデオインターフェース、ケーブルテレビインターフェース、ＵＳＢインターフェース等）をケースから露出させ、また、ボタン、リモコン信号受信部、表示部等の各部を収容するためのものである。開口部の用途、形状、数、位置等は実際の必要に応じて配置することができ、本発明では特に限定しない。
【００２０】
一つの例において、第１のインターフェース２０２１を収容する開口部２０１１及び第２のインターフェース２０２２を収容する開口部２０１２は、ケース２０１の同一側面に位置してもよい。ただし、開口部２０１１及び２０１２は、ケースの他の部位（例えばケースの対向する２つの側面）に位置してもよく、本発明では特に限定しない。
【００２１】
第１のインターフェース２０２１は、第１の電源電力を受けるために電源に接続可能である。一つの例において、第１の電源電力は、２２０Ｖの交流電力であってもよい。
【００２２】
第２のインターフェース２０２２は、テレビへマルチメディア信号及び第１の電源電力を伝送するためにテレビに接続可能である。一つの例において、マルチメディア信号は、外部から入力された、又はテレビメインボード装置に内蔵されたオーディオ、ビデオ、テキスト等の種々の信号がテレビメインボードにより変換されたマルチメディア信号、例えば高精細度マルチメディアインターフェース（ＨＤＭＩ（登録商標））信号であってもよい。
【００２３】
一つの例において、電力変換部は、２２０Ｖの交流電力（第１の電源電力）をＡＣ−ＤＣ（交流から直流へ）変換して直流電力（第２の電源電力）を得ることができる交流−直流電力変換部であってもよい。第２の電源電力は、テレビメインボード装置への給電に用いることができる。第２の電源電力の電圧値は、テレビメインボード装置への給電の必要に応じて任意に（例えば５Ｖに）設定することができる。電力変換部により、テレビメインボード装置は商用電源に直接接続可能になり、外部のＡＣ／ＤＣアダプタによる給電を必要とせずに独立して動作することができるので、システムの複雑性が削減され、取付け及び使用がより便利になる。また、テレビメインボード装置には電力変換部が内蔵されているため、テレビメインボード装置は、テレビから戻される直流電力を必要としない。これによっても、テレビの設計及びテレビとテレビメインボード装置との間の接続装置の設計を簡略化するとともに、接続装置のサイズを小さくすることができる。
【００２４】
一つの例において、第２のインターフェース２０２２には、第１の電源電力を伝送するための端子及びマルチメディア信号を伝送するための端子が集積されていてもよい。このような集積化した配置により、テレビメインボード装置とテレビとの間は１本の接続ケーブルのみで、テレビへの給電、およびマルチメディア信号の伝送を実現することができ、システム全体の外見が綺麗になるとともに、取付け及び使用が便利になる。
【００２５】
一つの例において、第２のインターフェースは、高精細度マルチメディアインターフェース（ＨＤＭＩ）を有してもよい。ＨＤＭＩは、１９個より多いピン（ＰＩＮともいう）を有してもよい。ＨＤＭＩは、標準ＨＤＭＩ信号を伝送することができる。ＨＤＭＩはさらに必要に応じて、制御信号等の他の信号を伝送することができる。テレビメインボード装置は電力変換部２０２３を備えることで自ら給電するので、第２のインターフェースは、テレビ等の他の機器から外部給電を受ける必要がない。したがって、第２のインターフェースのピン数は、テレビメインボード装置とテレビとの間の通信への要求を満たせばよいので、第２のインターフェースのサイズを比較的に小さくすることができる。
【００２６】
第２のインターフェースの各端子は必要に応じて、任意の輪郭形状の配列で配置することができる。
【００２７】
第２のインターフェース２０２２は、第１の電源電力（例えば２２０Ｖの電源電力）を伝送するためのライブライン端子及びニュートラルライン端子をさらに有してもよい。
【００２８】
また、ＨＤＭＩとライブライン端子及びニュートラルライン端子との位置関係及び第２のインターフェースの外輪郭なども、必要に応じて設定することができ、本発明では特に限定しない。
【００２９】
図３ｂ〜図３ｄは、第２のインターフェース２０２２のいくつかの例を示す構成模式図である。図３ａにおいて、ライブライン端子３０２及びニュートラルライン端子３０３はそれぞれＨＤＭＩ３０１の両側に位置する。図３ｂにおいて、ライブライン端子３０２及びニュートラルライン端子３０３はそれぞれＨＤＭＩ３０１の上方及び下方に位置する。図３ｃにおいて、ライブライン端子３０２及びニュートラルライン端子３０３はいずれもＨＤＭＩ３０１の下方（又は上方）に位置する。図３ｄにおいて、ライブライン端子３０２及びニュートラルライン端子３０３の一方は、ＨＤＭＩ３０１の上方（又は下方）に位置し、他方は、ＨＤＭＩ３０１の左側（又は右側）に位置する。また、図示されていないが、ライブライン端子３０２及びニュートラルライン端子３０３はいずれもＨＤＭＩ３０１の左側又は右側に位置してもよい。
【００３０】
図３ａ〜図３ｄに示す例は、第２のインターフェース２０２２の例に過ぎず、第２のインターフェースの具体的な構造は、当業者が実際の必要に応じて設計することができ、テレビへマルチメディア信号及び第１の電源電力を伝送することができるものであればよいことは、当業者には理解されるであろう。
【００３１】
実施例２
図４は、本発明の一実施例によるテレビを示す構成模式図である。図４に示すように、このテレビは、テレビメインボード装置からのマルチメディア信号を受信して再生するとともに、テレビメインボード装置からの第１の電源電力を受けて電源盤４０２に供給するアダプタ装置４０１を備える。このテレビは電源盤４０２をさらに備え、前記電源盤４０２は、前記第１の電源電力を第３の電源電力に変換してテレビのバックライトシステムに給電する。
【００３２】
この実施例のテレビには、テレビメインボードが内蔵されていない。その一方、テレビメインボード装置はテレビとは別体に配置されることで、テレビから外部接続用ケーブルを多く引き出す必要がなく、またテレビメインボードのメンテナンス及び交換が容易になる。また、この実施例において、アダプタ装置によって、テレビへの給電及びマルチメディア信号の伝送を実現することができる。このようにして、使用する際にテレビにテレビメインボード装置を接続すればよく、余計な電力線を必要としないので、システムの複雑性が大幅に削減され、全体の外見が綺麗になるとともに、使用及び取付けが便利になる。
【００３３】
第１の電源電力及びマルチメディア信号についての説明は、実施例１を参照してよい。ここでは、簡潔のために省略する。
【００３４】
一つの例において、電源盤４０２は、第１の電源電力を第４の電源電力に変換して前記アダプタ装置に給電してもよい。第４の電源電力は、例えば２２０Ｖの交流電力（第１の電源電力）をＡＣ−ＤＣ変換して得ることができる。第４の電源電力の電圧値は、アダプタ装置への給電の必要に応じて任意に（例えば１２Ｖに）設定することができる。
【００３５】
一つの例において、電源盤４０２は、第１の電源電力を第４の電源電力に変換するためにＡＣ−ＤＣ変換器を備えてもよい。
【００３６】
一つの例において、テレビのバックライトシステムは、バックライトバーであってもよい。この場合、第３の電源電力は、バックライトバーの駆動電圧であってもよい。当業者は実際の適用場面に応じて、第３の電源電力の電圧値を設定することができる。
【００３７】
一つの例において、このテレビは、タイミングコントローラ（Ｔ−ＣＯＮ）をさらに備えてもよい。アダプタ装置は、表示を行うようにディスプレイを駆動するためにマルチメディア信号（例えばビデオ信号）を前記タイミングコントローラに供給することができる。例えば、アダプタ装置は、マルチメディア信号をタイミングコントローラに供給するために、ＶＢＯ（Ｖ−ｂｙ−Ｏｎｅ、信号伝送インターフェース規格）又は５１Ｐｉｎ  ＬＶＤＳ（Ｌｏｗ−Ｖｏｌｔａｇｅ  Ｄｉｆｆｅｒｅｎｔｉａｌ  Ｓｉｇｎａｌｉｎｇ、低電圧差動信号）インターフェースを有してもよい。
【００３８】
一つの例において、アダプタ装置４０１は、インターフェース部をさらに有してもよい。このインターフェース部には、第１の電源電力を伝送するための端子及びマルチメディア信号を伝送するための端子が集積されていてもよい。
【００３９】
一つの例において、インターフェース部の端面構造は、図３ａ〜図３ｄに示す端面構造と類似してもよい。インターフェース部についての説明は、図３ａ〜図３ｄの説明及び上記した第２のインターフェースについての説明を参照してよい。ここでは、簡潔のために省略する。
【００４０】
インターフェース部の構造は、必要に応じて設計することができ、本発明では特に限定せず、第１の電源電力を伝送するための端子及びマルチメディア信号を伝送するための端子が集積されているものであればよいことは、当業者には理解されるであろう。
【００４１】
実施例３
図５は、本発明の一実施例によるテレビシステムを示す構成模式図である。図５に示すように、このテレビシステムは、テレビメインボード装置５０１と、テレビ５０３と、１つの電力線５０４と、１つの接続装置５０２とを備える。電力線５０４は、電源からテレビメインボード装置５０１に第１の電源電力を伝送するためにテレビメインボード装置５０１を電源に接続可能であり、接続装置５０２は、テレビメインボード装置５０１からテレビ５０３にマルチメディア信号及び前記第１の電源電力を伝送するためにテレビメインボード装置５０１をテレビ５０３に接続可能である。テレビメインボード装置５０１は、第１の電源電力を、前記テレビメインボード装置５０１に給電するための第２の電源電力に変換可能な電力変換部、例えば上記の電力変換部２０２３を有する。
【００４２】
この実施例では、テレビメインボードを独立した装置として、テレビとは別体に配置することにより、テレビから外部接続用ケーブルを多く引き出す必要がなく、またテレビメインボードのメンテナンス及び交換が容易になる。また、この実施例では、テレビ及びメインボードに対してそれぞれ給電配線を行う必要がなく、使用する際に１つの電力線によりテレビメインボード装置を電源に接続し、１つの接続装置によりテレビをテレビメインボード装置に接続すれば、テレビメインボード装置及びテレビへの給電、およびテレビメインボード装置とテレビとの間の信号伝送を実現することができ、システムの複雑性が大幅に削減され、全体の外見が綺麗になるとともに、使用及び取付けが便利になる。
【００４３】
一つの例において、テレビメインボード装置５０１は、前記実施例１と類似する構造を有してもよい。
【００４４】
例えば、テレビメインボード装置は、少なくとも１つの開口部を有するケースと、前記ケースに収容され、前記電力変換部と、それぞれ各々の開口部を介してケースから露出する第１のインターフェース及び第２のインターフェースとを有するテレビメインボードとを備えてもよい。前記第１のインターフェースは、電力線に接続可能であり、前記第２のインターフェースは、接続装置に接続可能である。前記電力変換部は例えば、交流−直流電力変換部である。第２のインターフェースには、第１の電源電力を伝送するための端子及びマルチメディア信号を伝送するための端子が集積されていてもよい。前記第２のインターフェースは、高精細度マルチメディアインターフェース（ＨＤＭＩ）を有してもよい。また、前記第２のインターフェースは、第１の電源電力を伝送するためのライブライン端子及びニュートラルライン端子を有してもよい。
【００４５】
一つの例において、テレビ５０３は、前記実施例２と類似する構造を有してもよい。
【００４６】
例えば、テレビは、テレビメインボード装置からのマルチメディア信号を受信して再生するとともに、テレビメインボード装置からの第１の電源電力を受けて電源盤に供給するアダプタ装置と、前記第１の電源電力を第３の電源電力に変換してテレビのバックライトシステムに給電する電源盤とを備えてもよい。電源盤は、第１の電源電力を第４の電源電力に変換して前記アダプタ装置に給電してもよい。テレビ５０３はタイミングコントローラ（Ｔ−ＣＯＮ）をさらに備え、アダプタ装置は、マルチメディア信号を前記タイミングコントローラに供給してもよい。
【００４７】
アダプタ装置は、インターフェース部を備え、前記インターフェース部には、第１の電源電力を伝送するための端子及びマルチメディア信号を伝送するための端子が集積されていてもよい。インターフェース部は、高精細度マルチメディアインターフェース（ＨＤＭＩ）を有してもよい。また、インターフェース部は、第１の電源電力を伝送するためのライブライン端子及びニュートラルライン端子を有してもよい。
【００４８】
一つの例において、電力線５０４は、当業者が選択し得る、第１の電源電力（例えば２２０Ｖの交流電源電力）を伝送可能な電力線であってもよい。
【００４９】
図６は、１つの例による接続装置５０２を示す構成模式図である。図６に示すように、接続装置は、テレビメインボード装置からテレビに供給されるマルチメディア信号及び第１の電源電力を伝送可能な接続ケーブル６０１と、前記接続ケーブルの一端に位置し、テレビメインボード装置に接続可能な第１の接続部６０２と、前記接続ケーブルの他端に位置し、テレビに接続可能な第２の接続部６０３とを備える。一つの例において、テレビメインボード装置の第２のインターフェースは、接続装置の第１の接続部６０２に接続することができ、テレビのアダプタ装置は、接続装置の第２の接続部６０３に接続することができる。例えば、アダプタ装置は、そのインターフェース部を介して第２の接続部６０３に接続してもよい。
【００５０】
第１の接続部６０２及び第２の接続部６０３の端面構造は、図３ａ〜図３ｄに示す端面構造と類似してもよい。第１の接続部及び第２の接続部についての説明は、図３ａ〜図３ｄの説明及び上記した第２のインターフェースについての説明を参照してよい。ここでは繰り返して説明しない。第１の接続部６０２及び第２の接続部６０３の構造は同じでもよいし、異なってもよく、本発明では特に限定しない。
【００５１】
図７は、一つの例による接続ケーブルの横断面を示す構成模式図である。この例において、接続ケーブルは、マルチメディア信号を伝送するためのＨＤＭＩ伝送線群７０１と、第１の電源電力を伝送するためのライブライン７０２及びニュートラルライン７０３とを有してもよい。ライブライン及びニュートラルラインは、シールド部７０４で取り囲まれてもよい。
【００５２】
図７に示すものは、接続ケーブルの１つの例に過ぎず、接続ケーブルの具体的な構造は、当業者が実際の必要に応じて設定することができ、マルチメディア信号及び第１の電源電力を伝送することができるものであればよいことは、当業者には理解されるであろう。
【００５３】
接続ケーブルにおける各伝送線は、第１の接続部及び第２の接続部における各端子に対応して設けられ、電気的に接続されてもよい。
【００５４】
上記したとおり、テレビメインボード装置は、電力変換部２０２３を備えることで自ら給電するので、接続装置は、テレビメインボード装置に給電するためにテレビとテレビメインボード装置との間で第２の電源電力を伝送する必要がない。したがって、接続装置における第１の接続部、第２の接続部のピン数及び接続ケーブルにおける対応する伝送線数は、テレビメインボード装置とテレビとの間の通信への要求を満たせばよいので、第１の接続部と第２の接続部のサイズを比較的に小さくし、接続ケーブルを比較的に細くすることができる。
【００５５】
適用例
本発明をより良く理解させるために、以下は、１つの例示的な適用場面における本発明の実施例の作動過程を示す。この例は、理解を容易にするためのものに過ぎず、本発明を限定するものではないことは、当業者には理解されるであろう。
【００５６】
図５に示すテレビシステムを例とする。テレビメインボード装置５０１の第１のインターフェースは、電力線５０４を介して２２０Ｖの交流電源に接続することができる。この電源で供給される２２０Ｖの電源電力（第１の電源電力）は、テレビメインボード装置５０１によって接続装置５０２を介してテレビ５０３に供給することができる。テレビメインボード装置５０１は、その内部に備えた電力変換部によって２２０Ｖの電源電力（第１の電源電力）を５Ｖの直流電力である第２の電源電力に変換してテレビメインボード装置５０１に給電する。テレビ５０３におけるアダプタ装置は、この２２０Ｖの電源電力を受けて電源盤に供給し、電源盤は、この電源電力の一部をバックライトバーの駆動電圧に変換してバックライトバーを駆動し、この電源電力の他の一部を１２Ｖの直流電力である第４の電源電力に変換してアダプタ装置に給電する。電源を入れたテレビメインボード装置５０１は、変換後のＨＤＭＩ信号を、さらに接続装置５０２を介してテレビ５０３に供給し、電源を入れたアダプタ装置は、このＨＤＭＩ信号をＴ−ＣＯＮなどの他の部に供給してマルチメディア信号を再生することができる。
【００５７】
以上は、本発明の具体的な実施形態に過ぎず、本発明の権利範囲はこれらに限定されるものではない。当業者が本発明に開示される技術の範囲内で容易に想到できる変形や変更はいずれも、本発明の権利範囲に含まれる。したがって、本発明の権利範囲は、添付の特許請求の範囲によるものである。
【００５８】
実用性
本発明の実施例において、テレビメインボードを独立した装置として、テレビとは別体に配置することにより、テレビから外部接続用ケーブルを多く引き出す必要がなく、またテレビメインボードのメンテナンス及び交換が容易になる。また、本発明の実施例において、テレビ及びメインボードに対してそれぞれ給電配線を行う必要がなく、使用する際にテレビメインボード装置を電源に接続し、テレビをテレビメインボード装置に接続すれば、テレビメインボード装置及びテレビへの給電、およびテレビメインボード装置とテレビとの間の信号伝送を実現することができ、システムの複雑性が大幅に削減され、全体の外見が綺麗になるとともに、使用及び取付けが便利になる。
【図１ａ】
2019506034.tif 000003
【図１ｂ】
2019506034.tif 000004
【図２】
2019506034.tif 000005
【図３ａ】
2019506034.tif 000006
【図３ｂ】
2019506034.tif 000007
【図３ｃ】
2019506034.tif 000008
【図３ｄ】
2019506034.tif 000009
【図４】
2019506034.tif 000010
【図５】
2019506034.tif 000011
【図６】
2019506034.tif 000012
【図７】
2019506034.tif 000013
【国際調査報告】
2019506034.tif 000014
2019506034.tif 000015
2019506034.tif 000016
2019506034.tif 000017
2019506034.tif 000018
2019506034.tif 000019